(57)【要約】【課題】回動体に棒状物を取り付ける回動構造であって、回動体の嵌合が失われることがなく、且つ、自由に回動しない構造を提供する。【解決手段】本体１と、回動体である回動リング２とからなり、本体１に支柱３１と天板３２を設け、支柱３１の側面は平坦面３３と湾曲面３４とからなり、回動リング２にはピン穴２１が穿設され、ピン４１をピン穴２１に相通させる。ピン４１を一方のピン穴２１から挿入し、平坦面３３の外側を通って、もう一方のピン穴２１へと相通させ、安全ピン４を閉じる。【選択図】図３
2014008383.tif 000002
【特許請求の範囲】
【請求項１】
回動体と、前記回動体を取り付ける本体と、前記回動体に棒状物を取り付ける穴とからなる回動構造であって、前記本体の外面に形成された支柱とその頂部に形成された天板とからなる支軸が形成され、前記回動体が前記支軸に嵌めることができるリング状に形成され、前記回動体の側部に前記穴が２つ穿設され、前記回動体を前記支軸に嵌めた後に、前記棒状物の先端を一方の前記穴から挿入し、前記天板と前記支柱と前記回転体とからなる空間を経由して、もう一方の前記穴の外へ前記棒状物を相通させることができるように設けたことを特徴とする回動構造。
【請求項２】
前記本体の一部が前記棒状物と当接する部分を形成したことを特徴とする請求項１記載の回動構造。
【発明の詳細な説明】
【技術分野】
【０００１】  本発明は、本体に取り付けた回動体に棒状物を挿入させて回動させる回動構造に関する。
【背景技術】
【０００２】  服の生地などのシート状物に名札などを係止するためには、安全ピンや虫ピンなどといった針を刺して留める方法が一般的であったが、この方法においては、シート状物にダメージを与えて、穴を開ける可能性がある。このダメージを与えない方法として、本発明者は文献１において、「留め具」を提案している。【０００３】
【文献１】
実用新案登録第３１３２８４７号登録公報
【０００４】  文献１の留め具においては、留め具に取り付けた安全ピンを回動させるための回動構造を設けている。図６（ａ）および（ｂ）はこの従来技術の回動構造を説明するためにそれぞれ表裏両方向から見た分解斜視図であって、その各図に示すように、回動体である回動部５は、その全体が円盤状で、その裏面に嵌合爪５１が形成されており、この嵌合爪５１は本体の一部となる外筒６の表側側面に形成された環状の嵌合部６１に嵌合して、回動部５を回動自在にする。また、回動部５の表面には安全ピンなどを挿入して取り付ける取付孔５２が形成されている。
【発明の開示】
【発明が解決しようとする課題】
【０００５】  しかしながら、この構造では、嵌合爪５１を嵌合部６１に嵌め殺しで嵌めるためには、嵌合爪５１が僅かに広がって、嵌合部６１を超えて、その内側に入り込むため、嵌合爪５１の突出幅は樹脂の湾曲できる範囲だけでしか形成することができなく、この突出幅は僅かでしかない。従って、磨耗や衝撃によりこの嵌合爪５１と嵌合部６１との嵌合が失われる場合が有り、一旦この嵌合が失われると回動部５は外筒６から外れてしまう結果となる。【０００６】    また、この構造では、回動は自由であって、外筒６の振動などによって回動が誘起される場合が有り、使用者の意図とは別に勝手に回動してしまうことがある。【０００７】  そこで本発明は、この課題を解決するために、回動体の嵌合が失われることがなく、且つ、自由に回動しない回動構造を提供することを目的とする。
【課題を解決するための手段】
【０００８】  上記目的を達成するため本発明は、回動体と、前記回動体を取り付ける本体と、前記回動体に棒状物を取り付ける穴とからなる回動構造であって、前記本体の外面に形成された支柱とその頂部に形成された天板とからなる支軸が形成され、前記回動体が前記支軸に嵌めることができるリング状に形成され、前記回動体の側部に前記穴が２つ穿設され、前記回動体を前記支軸に嵌めた後に、前記棒状物の先端を一方の前記穴から挿入し、前記天板と前記支柱と前記回転体とからなる空間を経由して、もう一方の前記穴の外へと前記棒状物を相通させることができるようにした。【０００９】  ここで、回転体と本体は樹脂成型するものとし、天板は例えば円盤状で、リング状の回転体の内側が天板の外周面に沿って摺動するようにして回動するようにする。そして、例えば棒状物は安全ピンを相通させてから安全ピンを閉じる。これによって、安全ピンを開いて抜き去らない限り、天板が安全ピンの動きを妨げるため、回動体が本体から脱落して回動構造が失われることを防止できる。【００１０】  さらに、本発明では、前記本体の一部が前記棒状物と当接する部分を形成するようにした。例えば、支柱の太さや形状に変化をもたせ、棒状物がその部分に当接して、それによって生じる摩擦力が自由な回動を抑制する。
【発明の効果】
【００１１】  回動体と、前記回動体を取り付ける本体と、前記回動体に棒状物を取り付ける穴とからなる回動構造であって、前記本体の外面に形成された支柱とその頂部に形成された天板とからなる支軸が形成され、前記回動体が前記支軸に嵌めることができるリング状に形成され、前記回動体の側部に前記穴が２つ穿設され、前記回動体を前記支軸に嵌めた後に、前記棒状物の先端を一方の前記穴から挿入し、前記天板と前記支柱と前記回転体とからなる空間を経由して、もう一方の前記穴の外へと前記棒状物を相通させることができるようにしたことにより、回動構造は簡単に組み立てることが出来る上、回動構造そのものは堅固に維持される。【００１２】  さらに、本発明では、前記本体の一部が前記棒状物と当接する部分を形成するようにしたことにより、回動体が自由に回転できなくなり、例えば棒状物が名札の付いた安全ピンであった場合、名札の位置を所望する位置に留まるようにできる。
【発明を実施するための最良の形態】
【００１３】  本発明の実施の形態について添付した図面に基づき説明する。ここで図１は本発明に係る一実施形態の回動構造を説明する分解斜視図、図２はこの回動構造の分解正面図、図３はこの回動構造を組み立てた後に安全ピンを装着した状態の上面図、図４は安全ピンを回動させた状態を説明する上面図、図５は他の実施形態を説明する上面図である。【００１４】  本発明の回動構造は、それぞれが樹脂形成された本体１と、その支軸３に装着する回動体である回動リング２とからなる。支軸３は本体上面から一体的に立ち上がる支柱３１とその頂部に一体的に形成された円形の天板３２とからなる。【００１５】  支柱３１の側面はそれぞれ対面した状態で、平坦面３３と湾曲面３４とから構成され、平坦面３３同士の幅は、湾曲面３４同士の幅より小さく形成されている。天板３２は円形で、その直径は回動リング２の内径より僅かに小さい。【００１６】  回動リング２の側部には、２つのピン穴２１が穿設され、その位置は回動リング２の中心線上ではなく、２つのピン穴２１同士を結んだ線が支柱３１の平坦面３３よりも外側になる位置に形成されている。【００１７】  回動リング２の内側には、その高さの中心付近に対になった内爪２２が回動リング２の周回方向に沿って形成されている。この内爪２２の同士の距離は、天板３２の外径よりもほんの僅か小さく形成されている。【００１８】  次に、この回動構造の組立てと動作について説明する。まず、回動リング２を支軸３に上から嵌め込む。この際、内爪２２の同士の距離は、天板３２の外径よりもほんの僅か小さく形成されているため、内爪２２が天板３２の外周面を超えて、その底面まで移動させなくてはならなく、力を加えて無理やり、内爪２２の収縮または回動リング２全体を変形させることにより、所定の位置まで押し下げる。【００１９】  内爪２２が天板３２の底面より下の所定の位置まで来ると、回動リング２は天板３２周りを自由に回動することができる。回動リング２は天板３２と内爪２２とにより、仮留めされたような状態であって、簡単には外れないが、回動リング２に大きな力を加えると支軸３から外すことはできる状態である。【００２０】  この実施形態において棒状物として、安全ピン４のピン４１を使用して説明するものとし、ピン４１を２つのピン穴２１に相通させる。それに当たっては、前述したとおり２つのピン穴２１同士を結んだ線が支柱３１の平坦面３３に平行になる位置に回動リング２を回動させて、その状態を維持してピン４１を一方のピン穴２１から挿入し、平坦面３３の外側を通って、もう一方のピン穴２１へと相通させ、安全ピン４を閉じる。【００２１】  ピン４１をピン穴２１へと相通させる前は、支軸３と回動リング２とは仮留め状態であったものが、このピン４１をピン穴２１へ相通させた後は、天板３１によってピン４１が拒まれた状態となるため、支軸３と回動リング２は外れることがなくなる。【００２２】  すなわち、従来技術の回動構造では、磨耗や欠損により嵌合爪５１と嵌合部６１との嵌合が失われる懸念があったが、本発明の回動構造においては、支軸３と回動リング２とピン４１との組み合わせによって、嵌合状態を失うことはなくなる。【００２３】  ピン４１が平��面３３に平行な位置においては、ピン４１と平坦面３３とは当接することなく、ピン４１はピン穴２１内で遊びのある状態で動くことができる位置関係にある。【００２４】  この位置から、安全ピン４に力を加えて回動リング２を回動させて、図４に示すようにピン４１が湾曲面３４に面し始めると、湾曲面３４同士外径は平坦面３３同士の幅よりも大きくできているため、ピン４１は湾曲面３４に強く当接するが、ピン穴２１にも押さえられることもあり、ピン４１は湾曲面３４に負勢された状態となり、回動リング２の回動は抑制された状態となり、湾曲面３４によるピン４１への負勢により生じる摩擦力に打ち勝つだけに力を加えないと、回動リング２および安全ピン４は自由に回動することはできない。【００２５】  前述した実施形態においては、湾曲面３４同士の外径と平坦面３３同士の幅の違いにより、ピン４１の回動を制御していたが、例えば図５に示すように、支柱３１ａを多角形として、その角にピン（図示せず）が当接して回動を制御するようにしても良い。【００２６】  また、支柱の形状ではなく、天板の底面または本体の側面にピンと当接する部分を設けて、ここで摩擦を生じさせることもできる。【００２７】  尚、本発明は以上のような実施形態に限定されるものではない。本発明の特許請求の範囲に記載した事項と実質的に同一の構成を有し、同一の作用効果を奏するものは本発明の技術的範囲に属する。
【産業上の利用可能性】
【００２８】  本発明の回動構造は、例えば安全ピンで留める名札などを取り付ける器具に利用できるため、学校や企業など広い分野で有用なものである。
【図面の簡単な説明】
【００２９】
【図１】図１は本発明に係る一実施形態の回動構造を説明する分解斜視図
【図２】この回動構造の分解正面図
【図３】この回動構造を組み立てた後に安全ピンを装着した状態の上面図
【図４】安全ピンを回動させた状態を説明する上面図
【図５】他の実施形態を説明する上面図
【図６】従来技術の回動構造を説明するためにを表裏方向から見た分解斜視図
【符号の説明】
【００３０】１・・・本体、２・・・回転リング、３・・・支軸、２１・・・ピン穴、３１・・・支柱、３２・・・天板、４・・・安全ピン、４１・・・ピン。
【図１】
2014008383.tif 000003
【図２】
2014008383.tif 000004
【図３】
2014008383.tif 000005
【図４】
2014008383.tif 000006
【図５】
2014008383.tif 000007
【図６】
2014008383.tif 000008